(57)【要約】      （修正有）【課題】鍼管に保持された鍼を取り外す際、鍼が勢いよく飛び出すことを防止する鍼管を提供する。【解決手段】鍼灸用鍼を保持し、少なくとも一端部付近に、内壁から穴の中心方向に突き出た掛止部１２、１２１、１２２、１２３を少なくとも１つ有し、掛止部が、貯蔵弾性率１００〜１０００ＭＰａの弾性材料からなる構成とする。また、掛止部を少なくとも２以上有しており、２以上の掛止部が、鍼管の長さ方向において略同一の位置に備えられている構成とする。【選択図】図２
2020018403.tif 000002
【特許請求の範囲】
【請求項１】
鍼灸用鍼を保持する鍼管であって、
前記鍼管が、長さ方向における一端部に、鍼管の内壁から鍼管の穴の中心方向に突き出た掛止部を少なくとも１つ有しており、
前記鍼管の掛止部が、貯蔵弾性率１００〜１０００ＭＰａの弾性材料からなる、
ことを特徴とする、鍼管。
【請求項２】
前記掛止部を少なくとも２以上有しており、前記２以上の掛止部が、前記鍼管の長さ方向において略同一の位置に備えられている、請求項１に記載の鍼管。
【請求項３】
掛止部を含んだ全体が貯蔵弾性率１００〜１０００ＭＰａの弾性材料からなる、請求項１又は２に記載の鍼管。
【請求項４】
前記掛止部が、貯蔵弾性率１００〜５００ＭＰａの弾性材料からなる、請求項１〜３のいずれか１項に記載の鍼管。
【請求項５】
掛止部を含んだ全体が貯蔵弾性率１００〜５００ＭＰａの弾性材料からなる、請求項１〜４のいずれか１項に記載の鍼管。
【請求項６】
請求項１〜５のいずれか１項に記載の鍼管と、前記鍼管内に保持された鍼と、を含む鍼灸用鍼セットであって、
前記鍼が、鍼柄及び鍼体を含み、
前記鍼柄が、鍼柄の長さ方向に対して略垂直方向に突起し、かつ鍼柄の長さ方向に並列した少なくとも２つの突起を有しており、
前記鍼管の掛止部の少なくとも先端が、前記鍼柄の一の突起と、当該一の突起と隣り合った別の突起との間に差し込まれることにより、前記鍼が前記鍼管に保持されていることを特徴とする、鍼灸用鍼セット。
【発明の詳細な説明】
【技術分野】
【０００１】
本発明は、鍼灸用鍼を保持するための鍼管及び当該鍼管を含む鍼セットに関する。
【背景技術】
【０００２】
日本国内において鍼による施術を行う場合、主として管鍼法が採用されている。管鍼法においては、鍼管に保持された鍼が使用される。管鍼法による鍼の施術は以下のように行われる。すなわち、あらかじめ鍼を挿入した鍼管を、つぼ等の鍼を刺入する箇所にあて、鍼管の頭部から出ている鍼柄頭部を軽く押すことによって、鍼の先端を皮膚に刺入（切皮）する。次いで、鍼管を取り去り、鍼を指の間に挟み立てた状態で必要な深さまで刺入する。従来の管鍼法では鍼及び鍼管ともに再利用されていた。しかしながら、近年においては、衛生上の問題等を考慮して、鍼を鍼管にセットした状態で個別に密封包装した滅菌済みの使い捨て鍼が主流となっている。
【０００３】
例えば、特許文献１は、鍼管と、当該鍼管に装着された鍼とからなる使い捨てタイプの鍼管付き鍼灸用鍼の発明を開示している。前記特許文献１における鍼は、鍼柄と鍼線とからなり、鍼柄には２カ所掛止部が設けられている。前記鍼管は、鍼管上端部以外では前記掛止部の最大径より大きく、鍼管上端部では鍼柄の直径より大きいが掛止部の最大径より小さくなっている。前記掛止部の最大径よりも小さくなった箇所は、特許文献１において掛止孔とされている。特許文献１の鍼は、２カ所に設けられた鍼柄の前記掛止部の間に、前記鍼管の上端部における掛止孔の内周部が差し込まれることにより、鍼が鍼管に固定される。特許文献１の鍼を使用する際には、鍼柄の上端を押し込むことにより、掛止孔をわずかに広げ、鍼柄の掛止部が広がった前記掛止孔を通過することにより、鍼管から鍼を取り外して使用される。
【先行技術文献】
【特許文献】
【０００４】
【特許文献１】特開２００６−１５８６１６号公報
【発明の概要】
【発明が解決しようとする課題】
【０００５】
しかしながら、上記技術は以下のような問題を有していた。すなわち、特許文献１の鍼管から鍼を取り外すときには、前述のように鍼柄を押し込み、鍼管の掛止孔を鍼柄の掛止部の大きさまで広げなければならない。掛止孔を無理に広げるために、過剰な力が要求される場合も少なくない。鍼柄に対してこのように過剰な力をかけることにより、鍼が鍼管から勢いよく飛び出す場合がある。鍼が勢いよく飛び出すことにより、鍼を持つ者の手に鍼が刺さったり、飛び出した鍼が床等に落ちたりするアクシデントが発生し得る。使用前の鍼が外部と接触して鍼が汚染される可能性があるため、このようなアクシデントは極力避けなければならない。
【０００６】
さらに近年、治療目的だけではなく、美容目的で鍼が使用される場合がある。美容目的の鍼は顔面に使用されることが多い。このように顔面に対して鍼を刺入する際に通常の鍼治療で使用される通常の長さの鍼を使用すると、以下のような問題が生じる。すなわち、顔面は、一般的に、人体の顔面以外の部分と比較して骨を覆う肉の厚さが薄い傾向がある。従って、通常の長さの鍼を顔面に刺入すると、人体の他の部分と比較して深く鍼を刺入できないため、刺入されていない鍼の残りの部分が比較的長くなってしまう。このように、鍼の長く残った部分は比較的動きやすい状態となる。一方、顔面は、人体における顔面以外の部分と比較すると非常に敏感な箇所である。刺入されていない鍼の部分が動くことにより、施術を受ける者に不快感を与える場合が多い。従って、前記のような不快感を極力低減するために、美容目的で使用される鍼は通常の鍼治療で使用される鍼よりも短い鍼が使用される。このような美容目的等で使用される短い鍼を特許文献１の技術を用いて鍼管に固定すると、鍼自体の長さが短いため、鍼を鍼管から取り外す際に鍼が鍼管から飛び出す可能性がさらに高まってしまう。
【０００７】
従来技術は前記のような問題を有していたため、このような問題を解決できる技術が望まれてきた。
【課題を解決するための手段】
【０００８】
本発明者が鋭意検討を重ねた結果、特定材料からなる特定の構造を有する鍼管を用いることにより前記問題が解決できることを見いだし、本発明に至った。
すなわち本発明は、
［１］鍼灸用鍼を保持する鍼管であって、
前記鍼管が、長さ方向における一端部に、鍼管の内壁から鍼管の穴の中心方向に突き出た掛止部を少なくとも１つ有しており、
前記鍼管の掛止部が、貯蔵弾性率１００〜１０００ＭＰａの弾性材料からなる、
ことを特徴とする、鍼管、
［２］前記掛止部を少なくとも２以上有しており、前記２以上の掛止部が、前記鍼管の長さ方向において略同一の位置に備えられている、［１］に記載の鍼管、
［３］掛止部を含んだ全体が貯蔵弾性率１００〜１０００ＭＰａの弾性材料からなる、［１］又は［２］に記載の鍼管、
［４］前記掛止部が、貯蔵弾性率１００〜５００ＭＰａの弾性材料からなる、［１］〜［３］のいずれかに記載の鍼管、
［５］掛止部を含んだ全体が貯蔵弾性率１００〜５００ＭＰａの弾性材料からなる、［１］〜［４］のいずれかに記載の鍼管、並びに
［６］［１］〜［５］のいずれかに記載の鍼管と、前記鍼管内に保持された鍼と、を含む鍼灸用鍼セットであって、
前記鍼が、鍼柄及び鍼体を含み、
前記鍼柄が、鍼柄の長さ方向に対して略垂直方向に突起し、かつ鍼柄の長さ方向に並列した少なくとも２つの突起を有しており、
前記鍼管の掛止部の少なくとも先端が、前記鍼柄の一の突起と、当該一の突起と隣り合った別の突起との間に差し込まれることにより、前記鍼が前記鍼管に保持されていることを特徴とする、鍼灸用鍼セット、
に関する。
【発明の効果】
【０００９】
本発明の鍼管及び鍼セットにより、鍼を使用する際に、わずかな力で鍼を鍼管から取り外すことができるため、鍼の長さにかかわらず、鍼の鍼管からの飛び出しを極力防ぐことができる。従って、鍼が鍼管に固定された際の衛生状態を保ったままで、鍼による施術を行うことができる。
【図面の簡単な説明】
【００１０】
【図１】本発明の鍼管の正面図である。
【図２】Ａ：図１の鍼管の平面図及びＢ：本発明の範囲外の鍼管を説明するための平面図である。
【図３】図２Ａの鍼管におけるＡ−Ｂ断面図である。
【図４】本発明の鍼セットにおける鍼の正面図である。
【図５】図４の鍼の平面図である。
【図６】本発明の鍼セットの正面図である。
【図７】図６の鍼セットの平面図である。
【図８】図７の鍼セットにおいて鍼管をＡ−Ｂで切断した一部断面図である。
【図９】図６の鍼セットから鍼を取り外す際の工程図である。
【発明を実施するための形態】
【００１１】
以下に、添付図面に示す具体的な実施形態に基づき、本発明の鍼管及び鍼セットについて詳細に説明する。なお、本発明の範囲は以下の記載に限定されるものではなく、特許請求の範囲に記載された事項の範囲内で様々な設計変更が可能であることは言うまでもない。
【００１２】
図1は、本発明の鍼管1の正面図である。鍼管1は、中空の細長い管である。なお、本実施形態において、鍼管1の断面形状は円形である（図２Ａ参照）。しかしながら、鍼管1の断面形状は円形である必要はなく、例えば、三角形、四角形、五角形、六角形等の多角形の形状であっても良い（図示せず）。また、鍼管1の太さ（図1においては直径ｒ１）は図１に示すように全体が均一の太さであっても良いし、一部が太く又は細くなっていても良い。
【００１３】
鍼管１の大きさは、当該鍼管１により保持される鍼２の大きさにより適宜変更可能である。例えば、通常の鍼灸施術で使用される鍼（鍼柄の端から鍼体の端までの全長が４５〜８５mmで、鍼柄の直径が１．０〜２．５mmの鍼）を保持する場合、鍼管１の長さは４２〜８２mm  で中空部１１の幅（図３においては直径ｒ２）は１．６〜３．１ｍｍであってよい。また、例えば、美容目的等で使用される短い鍼（鍼柄の端から鍼体の端までの全長が２５〜４５mmで、鍼柄の直径が１．０〜２．５ｍｍの鍼）を保持する場合、鍼管１の長さは２２〜４２ｍｍ  で、中空部１１の幅（図３においては直径ｒ２）は１．６〜３．１ｍｍであってよい。
【００１４】
本発明の鍼管１は、前記の通り中空の細長い管であり、当該管の中空部１１に後述する鍼２が保持される。前記中空部１１の幅（図３においては直径ｒ２）は、均一な幅であっても良いし、一部が太く又は細くなっていても良い。なお、鍼２を使用する場合に鍼管１の中空部１１から鍼２をスムーズに取り出せるように、中空部１１の幅は、後述する掛止部１２のある箇所を除いて、鍼管の長さ方向において均一か、又は鍼管１の長さ方向において掛止部１２がある方からない方に向けて徐々に広がっていることがより好ましい。
【００１５】
鍼管１の長さ方向における一端部には、鍼管１の内壁（中空部１１の側面）から鍼管の穴の中心方向に突き出た掛止部１２を少なくとも１つ有している。なお、本発明における「一端部」とは、鍼管１の端部そのものだけで無く、後述する鍼２を保持することができることを条件として、鍼管１の長さ方向における一端部付近の箇所も含まれる。また、本発明における「鍼管の穴の中心方向に突き出た」とは、掛止部１２が後述する鍼２を保持することができることを条件として、掛止部１２が鍼管１の内壁（中空部１１の側壁）から中空部１１の穴の中心方向に突き出ていることを意味している。従って、掛止部１２の中心線と鍼管１の内壁（長さ方向）との角度は、直角であっても良いし、直角以外の角度であっても良い。
【００１６】
さらに、本発明における「突き出た」とは、掛止部１２が図２Ｂに示されるように中空部１１の内壁をぐるりと一周するように形成されるのではなく、少なくとも１つの独立した掛止部が鍼管１の内壁から飛び出した形状になっていることを意味する。このように掛止部１２が突き出た形状になっていることより、掛止部１２の鍼柄２１に対する接触面積を極力減らし、後述する鍼２を鍼管１から取り外す際に過剰な力をかけることなく鍼２を鍼管１から取り外すことが可能となる。過剰な力が必要ないため、鍼２が鍼管１から飛び出す可能性を極力低減できる。
なお、掛止部１２が２以上ある場合には、これら２以上の掛止部１２が、鍼管１の長さ方向において略同一の位置にあることが好ましい。
【００１７】
具体的には、本実施形態においては、３つの掛止部１２１、１２２及び１２３が、鍼管１の長さ方向における一端部に、長さ方向において略同一の位置に設けられている（図２Ａ及び３参照）。掛止部１２の数は、鍼管１の大きさ、鍼２の大きさ等の諸条件に応じて適宜変更可能である。掛止部１２の大きさも、鍼管１の大きさ、鍼２の大きさ、鍼管１に設けられた掛止部１２の数等の諸条件に応じて適宜変更可能である。
【００１８】
本発明の鍼管１において、少なくとも前記掛止部１２は、貯蔵弾性率が、好ましくは１００〜１０００ＭＰａ、より好ましくは１００〜７００ＭＰａ、さらに好ましくは１００〜５００ＭＰａ、さらにより好ましくは３５０〜５００ＭＰａの弾性材料からなる。掛止部１２が、貯蔵弾性率が１０００ＭＰａ以下の弾性材料からなることにより、後述する鍼２を鍼管１から取り外す際に、過剰な力をかけることなく鍼２を鍼管１から取り外すことが可能となり、鍼２が鍼管１から飛び出す可能性を極力低減できる。また、掛止部１２が、貯蔵弾性率が１００ＭＰａ以上の弾性材料からなることにより、製造効率を必要以上に落とすことなく鍼管１を製造することができる。さらに、貯蔵弾性率が５００ＭＰａ以下、好ましくは１００〜５００ＭＰａ、より好ましくは３５０〜５００ＭＰａの弾性材料を用いることにより、鍼管１のロットブレを極力低減させ鍼管１の製造安定性を向上できる。
【００１９】
鍼管１の掛止部１２のみを前記のような弾性材料で、鍼管１のそのほかの部分を異なる材料で製造しても良いし、掛止部１２を含む鍼管１全体を前記のような弾性材料、具体的には、貯蔵弾性率が、好ましくは１００〜１０００ＭＰａ、より好ましくは１００〜７００ＭＰａ、さらに好ましくは１００〜５００ＭＰａ、さらにより好ましくは３５０〜５００ＭＰａの弾性材料で製造しても良い。掛止部１２を含む鍼管１全体を同じ材料で製造することにより、鍼管１の製造効率を必要以上に低下させる恐れがないため、より好ましい。
【００２０】
本発明の掛止部１２又は掛止部１２を含む鍼管１全体を形成する弾性材料は、貯蔵弾性率が上記範囲内であることを条件として特に制限されない。弾性材料の具体例として、例えば、ポリプロピレン、ポリエチレン等の合成樹脂があげられる。
【００２１】
以下に、本発明の鍼セット３について説明する。本発明の鍼セット３は、前記説明した鍼管１と前記鍼管１の中空部１１の内部に保持された鍼２とのセットである。
【００２２】
本発明の鍼２の具体例が図４に示されている。図４に示すように、鍼２は、鍼柄２１と鍼体２２とからなる。鍼柄２１は、例えば、ステンレス、アルミ、白銅又はクロムメッキ等の金属製であっても、ポリプロピレン又はポリエチレン等の合成樹脂製であっても良い。鍼柄２１の形状は、鍼灸の施術を行う者の作業を阻害しないことを条件として特に制限されない。鍼柄２１の平面方向から見た形状は、図５に示すように円形であっても良いし、三角形、四角形、五角形、六角形等の多角形（図示せず）であっても良い。
鍼体２２は、例えば、ステンレス、アルミ、白銅又はクロムメッキ等の金属製であって良い。
【００２３】
鍼２の全体の長さは、例えば、通常の鍼灸施術で使用される鍼の場合、鍼柄２１の端から鍼体２２の端までの長さが４５〜８５ｍｍで、鍼柄の太さ（図５においては直径ｒ４）が１．０〜２．５ｍｍであってよい。また、例えば、美容目的等で使用される短い鍼の場合、鍼柄２１の端から鍼体２２の端までの長さが２５〜４５ｍｍで、鍼柄の太さ（図５においては直径ｒ４）が１．０〜２．５ｍｍであってよい
【００２４】
鍼柄２１は、鍼柄の長さ方向に対して略垂直方向に突起し、かつ鍼柄の長さ方向に並列した少なくとも２つの突起部２３（図４においては２３１及び２３２）を有している。図４の鍼２においては、鍼柄２１に、２つの突起部２３１，２３２が設けられている。突起部２３の形状は、後述するように、鍼２を鍼管１に保持させる際に、隣り合った２つの突起部２３の間に鍼管１の掛止部１２の少なくとも先端を差し込むことができることを条件として、特に制限されない。しかしながら、突起部２３は、図４及び図５に示すように、鍼柄２１の軸周囲をぐるりと取り囲む輪の形状であることがより好ましい。突起部２３を輪の形状とすることにより、後述するように鍼２を鍼管１に保持させた後、鍼２が鍼管１に対して相対的に回転した場合でも、鍼２が鍼管１から勝手に外れることを防止できる。
【００２５】
なお、鍼２を正面方向から見た場合の突起部２３の形状は、鍼２を鍼管１から取り外す際に障害とならない形状であることを条件として特に制限はない。例えば、図４に示すように、勾配を有する山形でもよい。このような山形であることにより、鍼２を鍼管１から取り外す際に、より小さい力でスムーズに取り外すことができる。
【００２６】
突起部２３の大きさ及び間隔は、前述の鍼管１の掛止部１２の少なくとも先端を差し込むことにより鍼２を鍼管１の中空部１１に保持できる程度であれば特に制限されない。なお、「突起部２３の間隔」は、以下のように測定される。例えば、２つの突起部２３が、鍼柄２１の長さ方向に対して略垂直方向にまっすぐ突き出ている（言い換えれば、正面方向から見た際に、突起部２３が鍼柄２１の長さ方向に対して傾斜を有していない）場合、「突起部２３の間隔」は、上側の突起部（図４においては突起部２３１）の下端から下側の突起部（図４においては突起部２３２）の上端の間の間隔を意味する。また、２つの突起部２３が、図４に示すように、鍼柄２１の長さ方向に対して傾斜を有している場合、「突起部２３の間隔」は、上側の突起部（図４においては突起部２３１）の傾斜が始まった箇所から下側の突起部（図４においては突起部２３２）の傾斜が終わった箇所までの間隔（図４においてはｗ１）の間隔を意味する。
また、前述の鍼管１の掛止部１２の少なくとも先端を差し込むことにより鍼２を鍼管１の中空部１１に保持できることを条件として、一の突起部２３の大きさ及び／又は形状が、隣り合う他の突起部２３の大きさ及び／又は形状と同じであっても異なっていても良い。
【００２７】
突起部２３の大きさ及び間隔と、鍼管１の掛止部１２の大きさとの関係は、例えば以下の通りである。前記の通り、鍼管１の掛止部１２の少なくとも先端を差し込むことにより鍼２が鍼管１の中空部１１に保持される。従って、鍼管１の掛止部１２の厚さ（図３においてはｔ１）が、鍼柄２１における隣り合った２つの突起部２３（例えば、図４においては突起部２３１及び２３２）の間隔（図４においてはｗ１）以下であることが好ましい。また、鍼管１の掛止部１２の厚さ（図３においてはｔ１）が、鍼柄２１における隣り合った２つの突起部２３（例えば、図４においては突起部２３１及び２３２）の間隔（図４においてはｗ１）と同じか又はこれより厚い場合には、断面方向（図３における断面方向）から見た掛止部１２の先端の形状を、丸みを帯びた形状にして、前記掛止部１２の丸みを帯びた先端が鍼柄２１における隣り合った２つの突起部２３の間に差し込まれて良い。
【００２８】
また、鍼管１の掛止部１２の先端から中空部１１の内壁までの距離（一つの掛止部１２を有する場合）又は複数の掛止部１２の先端が描く円の直径（例えば、図２Ａにおいては直径ｒ３）は、鍼柄２１の太さ（例えば、図５においては直径ｒ４）よりも大きいことが好ましい。鍼柄２１の突起部２３の太さ（例えば、図５においては直径ｒ５）は、鍼管１の掛止部１２の先端から中空部１１の内壁までの距離（一つの掛止部１２を有する場合）又は複数の掛止部１２の先端が描く円の直径（例えば、図２Ａにおいては直径ｒ３）よりもわずかに大きいことが好ましい。一方で、鍼２を鍼管１からよりスムーズに取り出すことができるように、突起部２３の太さ（例えば、図５においては直径ｒ５）は、鍼管の中空部１１の幅（例えば、図３においては直径ｒ２）よりも小さいことが好ましい。
【００２９】
前述の通り、鍼２が鍼管１に保持されることにより、本発明の鍼セット３となる。図６は、本発明の鍼セット３の一形態を示す正面図である。鍼２は、鍼管１の中空部１１に差し込まれる。鍼管１の掛止部１２１、１２２及び１２３の少なくとも先端が、鍼柄２１における隣り合った２つの突起部（図６においては突起部２３１、２３２）の間に差し込まれることにより、鍼２が鍼管１に保持される（図７及び８参照）。鍼体２２が外部に接触しないように、鍼２の長さと鍼管１の長さを以下のような関係にすることが好ましい。すなわち、鍼管１の掛止部１２が差し込まれる鍼柄２１における２つの突起部２３のうち上側の突起部の下端から鍼体２２の端までの長さ（図４においてはｌ１）が、鍼管１の掛止部１２から鍼管１の端（掛止部１２のない方の端）までの長さ（図６においてはｌ２）の長さよりも、少なくともわずかに短いことが好ましい。
【００３０】
鍼灸の施術を行う際には、鍼２を鍼管１から取り外して使用する。鍼２を鍼管１から取り外す際には、図９に示すように、鍼セット３の鍼柄２側を下にして、鍼柄２１の頭部を軽く押し込む。鍼柄２１の頭部を軽く押し込むことで、鍼柄２１の突起部２３１により鍼管１の掛止部１２１、１２２及び１２３が鍼管１の出口方向に押し込まれる。掛止部１２１、１２２及び１２３が出口方向に押し込まれることにより、掛止部１２１、１２２及び１２３の先端部の間隔（図２Ａにおいては直径ｒ３）が広がり、突起部２３が掛止部１２１、１２２及び１２３を通過することにより、鍼２が鍼管１に保持されていない状態となる。このようにした後は、通常の管鍼法による鍼施術を行うことができる。
【００３１】
本発明の鍼セット３において鍼管１の掛止部１２１、１２２及び１２３が、前記のような貯蔵弾性率の弾性材料からなることにより、鍼２を鍼管１から取り外す際に、過度な力で鍼柄２１を押し込む必要がない。従って、鍼管１からの鍼２の飛び出しを極力抑えることができる。特に、鍼セット３が、美容目的等で使用される短い鍼である場合であっても、鍼２の過剰な飛び出しを抑えることができる。
【実施例】
【００３２】
以下に、実施例に基づいて本発明をさらに詳しく説明する。
【００３３】
１．使用した材料
（１）ポリプロピレン樹脂（上海石化有限公司製、品番Ｍ７００Ｒ）（以下「サンプル１」）
（２）ポリエチレン樹脂（中国石化股_斉魯分公司製、品番２１０２ＴＮ２６）（以下、「サンプル２」）
（３）ポリプロピレン樹脂（独山子天利有限公司製、品番Ａ１８０ＴＭ）（以下、「サンプル３」）
【００３４】
２．使用した機器
（１）卓上ホットプレス機（テクノサプライ社製、型番：小型プレスＧ−１２型）
（２）粘弾性測定装置（日立ハイテクノサイエンス社製、型番：ＤＭＡ７１００）
（３）万能材料試験機１０ｋＮ（インストロンジャパンカンパニイリミテッド社製、型番：５９６６型）
【００３５】
３．粘弾性測定サンプルの調製
中央部に７×１０ｃｍの穴をくり抜いたアルミ板（厚み１ｍｍ）を用意した。ホットプレス機の鉄製プレス台座内部にカプトンフィルムを敷き、その上にアルミ板を置いた。前記アルミ板のくり抜き部に、前記各サンプルのペレットを添加し、上からカプトンフィルムを被せ、上下のカプトンフィルムを鉄製台座で挟んだ。ホットプレス機の温度をポリプロピレン樹脂に対して１９０℃で、ポリエチレン樹脂に対して１４０℃に設定した。プレス圧力を１０ＭＰａに設定し、前記設定温度にて１分間（６０秒）プレスした。ホットプレス機から鉄製プレス台座ごと取り出し、作業台上にて1分間常温冷却させた。冷却後、鉄製台座及び上下のカプトンフィルムを取り外し、アルミ板のくりぬき部からプレスされたフィルムを取り出した。取り出したフィルムを幅５ｍｍ×長さ５ｃｍに断裁して測定サンプルとした。
【００３６】
４．粘弾性の測定
前記調整した各サンプルの貯蔵弾性率を、前記粘弾性測定装置を用いて測定しした。具体的には、測定装置内の治具に測定サンプルを取り付け、１ＫＨｚの振動を与えた際に装置に伝わる圧を測定することにより、貯蔵弾性率を測定した。測定サンプルごとに５枚のフィルムを用いて測定を行った。測定は、測定装置内の治具に対するフィルムの取り付け方向を、１枚のフィルム当たり上下方向及び裏表を反転させた上下方向の合計４方向に変更してそれぞれ測定を行った。１測定サンプル当たり、５枚のフィルム×４方向の２０回測定を行い、その平均値を各サンプルにおける貯蔵弾性率とした。測定結果が、以下の表１にまとめられている。
【表１】
2020018403.tif 000003
【００３７】
５．各サンプルを用いた鍼管の製造
図１の鍼管を製造するための型を準備し、上記各サンプルを溶融射出成形することにより図１の鍼管を製造した。なお、掛止部を含む鍼管全体が、上記各サンプルにより製造された。鍼管のサイズは、以下の通りである：長さ（ｌ２）３１．８ｍｍ、幅（ｒ１）４．２１ｍｍ、中空部の幅（ｒ２）２．８５ｍｍ、掛止部の高さ（ｔ１）１ｍｍ、各掛止部の先端が描く円の直径（ｒ３）１．８５ｍｍ。
【００３８】
６．鍼セットの製造
図４に示す鍼を準備し、前記のように調製した鍼管に保持させることにより、鍼セットを製造した。同一のサンプルから調製された鍼管２０本を準備し、鍼２と組み合わせることにより、２０本の鍼セットを調製した。なお、鍼のサイズは以下の通りである：鍼の全長３５ｍｍ、突起部２３１の下端から鍼体先端までの長さ（ｌ１）２７．７ｍｍ、鍼柄の長さ２０ｍｍ、鍼体の長さ１５ｍｍ、鍼柄の直径（ｒ４）１．８２ｍｍ、突起部２３１の直径（ｒ５）２．４２ｍｍ、突起部２３２の直径（ｒ５）２．５２ｍｍ、突起部２３１と２３２との間隔（ｗ１）１．１５ｍｍ。
【００３９】
７．鍼管押し出し試験
前記万能材料試験機１０ｋＮを用いて、２０本の鍼セットから鍼２を押し出す際に必要な力を測定した。測定結果が表２に示されている。なお、サンプル１を用いた例を実施例１、サンプル２を用いた例を実施例２、サンプル３を用いた例を比較例１としている。
【表２】
2020018403.tif 000004
（単位：N）
【００４０】
表２に示すように、本発明の実施例１及び２は、比較例１と比べて押し出しに要する力が小さいことが明らかである。従って、実施例１及び２の鍼セットは、比較例１の鍼セットと比較して、鍼が鍼管から飛び出す恐れが非常に小さい。
さらに、実施例２の鍼セットにおいては、各ロットにおける鍼を押し出す際に必要な力の最大値と最小値の差が０．７Ｎである。このことは、実施例２の鍼セットは、ロット間のブレが小さいため、非常に高い製造効率で製造可能であることを意味する。
【符号の説明】
【００４１】
１  鍼管
１１  中空部
１２  掛止部
２  鍼
２１  鍼柄
２２  鍼体
２３  突起部
３  鍼セット
【図１】
2020018403.tif 000005
【図２】
2020018403.tif 000006
【図３】
2020018403.tif 000007
【図４】
2020018403.tif 000008
【図５】
2020018403.tif 000009
【図６】
2020018403.tif 000010
【図７】
2020018403.tif 000011
【図８】
2020018403.tif 000012
【図９】
2020018403.tif 000013